(57)【要約】      （修正有）【課題】防寒性能を有する防護服をきわめて低コストで製造することを可能にした構造を備えた防寒防護服を提供する。【解決手段】防寒防護服の構成は、不織布１又は網地、布、フィルムの少なくともいずれかに、発泡シート体２を積層してシート状基材を形成し、該シート状基材によって作業服に形成する。作業服の形態は、つなぎ型の作業服、又は、上着とズボンに分かれたツーピース型の作業服のいずれであってもよい。上記の発泡シート体は、防寒に加え防水を目的とするときは独立気泡性発泡シートで、また防寒に加えて通気を目的とするときは連続気泡性の発泡シートを用いる。【選択図】図１
0003183080.tif 000002
【実用新案登録請求の範囲】
【請求項１】
不織布又は網地に、発泡シート体を積層してシート状基材を形成し、該シート状基材によって作業服状に形成したことを特徴とする防寒防護服。
【請求項２】
発泡シート体は、独立気泡性発泡シート、又は、連続気泡性の発泡シートである請求項１に記載の防寒防護服。
【請求項３】
不織布又は網地と発泡シートは、ヒートシール可能な同一樹脂系材料で形成した請求項１又は２に記載の防寒防護服。
【請求項４】
シート状基材は、不織布又は網地と発泡シートによる少なくとも二層構成または前記発泡シートを前記不織布又は網地で挟んだ少なくとも三層構成である請求項１〜３のいずれかに記載の防寒防護服。
【請求項５】
シート状基材は、それを形成する不織布又は網地と発泡シートが接着又は溶着若しくは縫着の少なくともいずれかの手段により接合されている請求項１〜４のいずれかに記載の防寒防護服。
【請求項６】
作業服状の形態は、つなぎ型の作業服、又は、上着とズボンに分かれたツーピース型の作業服である請求項１〜５のいずれかに記載の防寒防護服。
【考案の詳細な説明】
【技術分野】
【０００１】
本考案は防寒性能を備えた不織布製の防護服に関する。
【背景技術】
【０００２】
原子力施設などにおいて軽微な放射線が検出される場所では、不織布製の防護服がいわゆる使い捨て態様で用いられている。
【０００３】
不織布製の防護服は、不織布を主体に形成されているため、低コストで製造でき、従って、低価格で供給できるところから、使い捨て態様で防護服として多用されているが、不織布製ゆえに防寒性能は無いに等しい。
【０００４】
防寒性能を有する防護服は、特許文献１〜４などに見られるように、化学繊維などによる多層構造にしたシート状材を基布として形成されたものが多いが、その基布は多層構造ゆえに基布自体が高価格になり、それが防護服の価格に反映されて不織布製の防護服に比べ著しく高価になっている。
【０００５】
しかし乍ら、上記のような高価格の防寒性能を有する防護服を使い捨てにして使用すると、それにかかるコストは莫大なものとなってしまう。
【先行技術文献】
【特許文献】
【０００６】
【特許文献１】特許第４２５８８１６号公報
【特許文献２】特許第３７６８３５９号公報
【特許文献３】特開２０１１−１８４８０６号公報
【特許文献４】特開２０１０−２６１１３３号公報
【考案の概要】
【考案が解決しようとする課題】
【０００７】
そこで本考案は、防寒性能を有する防護服をきわめて低コストで製造することを可能にした構造を備えた防寒防護服を提供することを、課題とする。
【課題を解決するための手段】
【０００８】
上記課題を解決することを目的としてなされた本考案防寒防護服の構成は、不織布又は網地、布、フィルムの少なくともいずれかに、発泡シート体を積層してシート状基材を形成し、該シート状基材によって作業服に形成したことを特徴とするものである。本考案における作業服の形態は、つなぎ型の作業服、又は、上着とズボンに分かれたツーピース型の作業服のいずれであってもよい。以下、本明細書では、不織布，網地，布，フィルムのいずれか、或は、これらの混成体（一緒に使用した材料）を単に不織布という。
【０００９】
本考案において、発泡シート体は、防寒に加え防水を目的とするときは独立気泡性発泡シートで、また防寒に加えて通気を目的とするときは連続気泡性の発泡シートを用いることができる。発泡シートは架橋プロピレン系樹脂やスチレン系樹脂共重合体などを用いたものがある。ここで、独立気泡性シートは０．１〜３ｍｍ程度、好ましくは２ｍｍ程度の厚さで、また、連続気泡性発泡シートは少なくとも１ｍｍ厚で１０ｍｍより厚くならない厚さで用いるとよい。
【００１０】
本考案において、発泡シート体と不織布の積層態様としては、発泡体シートと不織布を少なくとも二層に重ねた態様、発泡体シートを不織布で挟んだ少なくとも三層に重ねた態様があり、また前記積層体の接合態様としては、例えば、線状又は散点状にしたヒートシールや接着剤を用いた部分的接合やラミネート状の全面的接合、或は、縫着例えばキルティング様の縫着による接合など、適宜の接合手段によってシート状基材を形成する。
【考案の効果】
【００１１】
本考案は、低コストで形成できる不織布に、低コストで成形できる発泡シート体を積層してシート状基材を形成し、この基材により、不織布を外面にすると共に発泡シート体を内面側にしてつなぎ服型の作業服状又はツーピース型の作業服状を呈する防護服に形成したから、当該防護服は発泡シート層によって防寒性能を得ることができ、しかも、かかる防護服はきわめて低コストで製造することが可能であるから、いわゆる使い捨てタイプの防寒防護服としてきわめて有用である。
【図面の簡単な説明】
【００１２】
【図１】本考案防護服に用いるシート状基材の一例を模式的に示した断面図。
【図２】つなぎ服タイプの本考案防護服の一例の正面図。
【図３】ツーピースタイプの本考案防護服の一例の正面図。
【考案を実施するための形態】
【００１３】
次に、本考案の実施の形態例について、図を参照して説明する。
図１において、１は、例えばプロピレン系樹脂繊維をニードルパンチ法などの常法により形成した不織布である。本考案では、一例としてポリプロピレン系樹脂の不織布にポリエステル系の不織布を積層した積層タイプの不織布１を用いることもできる。
また、本考案では上記樹脂材又はその他の樹脂材による糸を網地や布に形成したものを前記不織布に代えて、又は、不織布と一緒に用いることができる。また、通気性のあるフィルムや通気性のないフィルムも前記不織布に代えて、或は、一緒に用いることができる。以下、本明細書では、不織布１は、上記網地や布地、或は、フィルムを含む概念として用いる。
【００１４】
図１において、２は発泡シートであり、その材料には、ポリプロピレン系、ポリエチレン系、ポリエステル系、ナイロン系等のいずれかを用いることができる。ここでは一例としてプロピレン系樹脂の単体、或は、該樹脂にエチレン系樹脂，ブテン系樹脂，ポリ塩化ビニル等の塩化ビニル系樹脂，スチレン系樹脂のいずれかを混合した樹脂材料を、一例として発泡倍率を１０倍〜１００倍、厚さを０．１ｍｍ〜３ｍｍとする独立気泡に発泡させたものである。連続気泡の場合には、例えば厚さ４ｍｍ〜６ｍｍ、厚くても１０ｍｍ以下の厚さに発泡させたものを用いる。なお、上記樹脂材料は、架橋したもの、或は、架橋しないもののいずれも用いることができる。
【００１５】
上記不織布１と発泡シート２の接合法としては、ホットメルト系接着剤を両者１，２の間に線状又は散点状に置いて接着する方法やラミネート法、又は、その他の接着法を用いることができる。また、不織布１と発泡シート２をともにプロピレン系樹脂で形成したものでは、接着剤を用いない熱溶着で接合することができる。本考案における前記不織布１と発泡シート２の接合方法としては、不織布１と発泡シート２を縫着で接合、例えば、不織布１と発泡シート２をキルティング状に縫着した接合態様もある。
【００１６】
また、本考案における不織布１と発泡シート２の積層体は、図１の例の２層構成のものに限らず、例えば、発泡シート２をその表，裏から挟んだ対応の少なくとも三層構成のものを含むものとする。
【００１７】
上記のようにして不織布と発泡シート２が積層されて接合された積層体によって、本考案で使用する図１に一例として示したシート状基材Ｂｓが形成される。
このシート状基材Ｂｓは、通常の衣服縫製用の生地と同様に、防護服用の型紙に沿って裁断され縫製加工されて、図２や図３に示す本考案防寒防護服の例に形成される。
【００１８】
図２は、図１のシート状基材Ｂｓをつなぎ型作業服状の型紙に沿って各パーツ片に裁断し、各パーツを常法により縫製して形成したつなぎ服タイプの本考案防寒防護服の一例の正面からの姿図である。
【００１９】
図２において、３はフード、４は顔用の窓穴、５，６は左右の袖、７は胴部、８，９は胴部７の下端部から連続して形成されたズボン部の左右の脚筒、１０はカバー片１１で覆われたラインファスナでスライダ１０ａを備えている。
【００２０】
なお、左右両袖５，６の下端部、ズボン部の左右両筒８，９の下端には、ゴムや紐又は両面テープなどを用いた絞り部５ａ，６ａ、同じく８ａ，９ａに形成されている。ズボン部の両筒８，９の下端には、着用者が履いている靴をカバーするオーバーシューズ部（図示せず）を形成することもある。
【００２１】
図３の本考案防寒防護服は、図２のつなぎ服タイプを上着とズボンに分離したツーピース型に形成したものであり、従って、図２と同じ部位，部材は同一符号を用いている。図３において、７ａは上着における胴部７の裾部、１２はズボンにおける腰ベルト部である。
【００２２】
上記のように形成された本考案防寒防護服は、形態が公知の防護服と同様であるから、公知の防護服と同様に着脱するものであるが、図１に例示した不織布に発泡シートを積層一体化して形成したシート状基材によって形成しているので、発泡シート層による断熱効果によって、防護服の内部とこの服の外側の外気との間を熱的に遮断することができる。
なお、図２，図３の防寒防護服は、図１のシート状基材Ｂｓのほか、請求項４又は５に記載したシート状基材によって形成できること、勿論である。
【産業上の利用可能性】
【００２３】
本考案防護服は、以上の通りであって、低コストで製造できる不織布製でありながら防寒性能を有することにより、冬期や寒冷地での着用する使い捨てタイプの防寒防護服としてきわめて有用である。
【符号の説明】
【００２４】
１      不織布
２      発泡シート
３      フード
４      窓穴
５，６  左右の袖
７      胴部
８，９  ズボン部の左右の脚筒
１０    ラインファスナ
【図１】
0003183080.tif 000003
【図２】
0003183080.tif 000004
【図３】
0003183080.tif 000005